(57)【要約】【課題】ポリエステルの持つ特性により乾燥時間を短縮し、燃料も節約するとともに、静電防止効果や逆汚染防止効果も併せて得ることができるタオルを提供する。【解決手段】タオル６は、ループ状に編成されて表裏面を構成するパイル糸１と、表裏面を織り加工するための縦軸となる経糸４と、表裏面を織り加工するための横軸となる緯糸５とを備え、経糸５と緯糸４とが垂直に配置されて格子状に編み込まれており、経糸５にポリエステル系素材が１００％の糸を採用していることを特徴としている。【選択図】図３
0003199408.tif 000002
【実用新案登録請求の範囲】
【請求項１】
ループ状に編成されて表裏面を構成するパイル糸と、
前記表裏面を織り加工するための縦軸となる経糸と、
前記表裏面を織り加工するための横軸となる緯糸と、を備え、
前記経糸と緯糸とが、垂直に配置されて格子状に編み込まれており、前記経糸をポリエステル系素材が１００％の糸としたこと
を特徴とするタオル。
【請求項２】
ループ状に編成されて表裏面を構成するパイル糸と、
前記表裏面を織り加工するための縦軸となる経糸と、
前記表裏面を織り加工するための横軸となる緯糸と、を備え、
前記経糸と緯糸とが、垂直に配置されて格子状に編み込まれており、前記経糸をポリエステル系素材が１００％の糸としたこと
を特徴とするタオル製品。
【請求項３】
タオル地を用いた被服であって、
前記タオル地は、
ループ状に編成されて表裏面を構成するパイル糸と、
前記表裏面を織り加工するための縦軸となる経糸と、
前記表裏面を織り加工するための横軸となる緯糸と、を備え、
前記経糸と緯糸とが、垂直に配置されて格子状に編み込まれており、前記経糸をポリエステル系素材が１００％の糸としたこと
を特徴とするタオル地を用いた被服。
【考案の詳細な説明】
【技術分野】
【０００１】
本考案は、縦軸である経糸をポリエステル系素材とすることにより、風合いや肌触りを保ちながら、乾燥時間の短縮や燃料の節約をすることができるタオル、タオル製品、及びタオル地を用いた被服に関する。
【背景技術】
【０００２】
従来、業務用タオルは、綿を素材としたパイル糸と緯糸と経糸とで編成し、制作されているものが一般的に普及している。
【０００３】
例えば、特許文献１では、地経糸に地緯糸を織り込んでタオル地組織を織成し、このタオル地組織の表面及び裏面に同一密度にほぼ等しい長さのパイル経糸を織成してタオル地を形成した両面パイルタオル地が開示されている。
【０００４】
さらに、特許文献２では、経糸と緯糸よりなる織物のベース地に、パイル糸による輪奈がベース地の両面もしくは片面に現れるよう絡合してなるタオル織物であって、前記輪奈を、ベース地の経糸と緯糸とで区画された各区画に対し、少なくとも一区画以上を空けるように配設したタオル織物が開示されている。
【先行技術文献】
【特許文献】
【０００５】
【特許文献１】特開２００４−１８３１４４号公報
【特許文献２】特開２００８−２６６８４４号公報
【考案の概要】
【考案が解決しようとする課題】
【０００６】
しかしながら、上記した従来技術に係る業務用タオルにあっては、乾燥に多くの時間を要し、必然的に多くの燃料が必要となることから相応のコストが生じていた。特にホテル、スパリゾート、湿浴施設、病院等の業務分野においては、日常的に大量の業務用タオルを使用していることが多く、その問題は顕著であった。
【０００７】
本考案は、このような問題点に着目してなされたもので、ポリエステルの持つ特性により、乾燥時間を短縮し、費やす燃料を節約するとともに、静電防止効果、逆汚染防止効果も併せて得ることができるタオル、タオル製品、及びタオル地を用いた被服を提供することを目的とする。
【課題を解決するための手段】
【０００８】
上記課題を解決するため、本考案の一態様に係るタオルは、ループ状に編成されて表裏面を構成するパイル糸と、前記表裏面を織り加工するための縦軸となる経糸と、前記表裏面を織り加工するための横軸となる緯糸と、を備え、前記経糸と緯糸とが、垂直に配置されて格子状に編み込まれており、前記経糸をポリエステル系素材が１００％の糸としたことを特徴としている。
【０００９】
本考案の他の態様に係るタオル製品は、ループ状に編成されて表裏面を構成するパイル糸と、前記表裏面を織り加工するための縦軸となる経糸と、前記表裏面を織り加工するための横軸となる緯糸と、を備え、前記経糸と緯糸とが、垂直に配置されて格子状に編み込まれており、前記経糸をポリエステル系素材が１００％の糸としたことを特徴としている。
【００１０】
また、本考案の他の態様に係るタオル地を用いた被服は、タオル地を用いた被服であって、前記タオル地は、ループ状に編成されて表裏面を構成するパイル糸と、前記表裏面を織り加工するための縦軸となる経糸と、前記表裏面を縫製するための横軸となる緯糸と、を備え、前記経糸と緯糸とが、垂直に配置されて格子状に編み込まれており、前記経糸をポリエステル系素材が１００％の糸としたことを特徴としている。
【考案の効果】
【００１１】
本考案によれば、ポリエステルの持つ特性により、乾燥時間を短縮し、費やす燃料も節約するとともに、静電防止効果、逆汚染防止効果も併せて得ることができるタオル、タオル製品、及びタオル地を用いた被服を提供することができる。
【図面の簡単な説明】
【００１２】
【図１】（ａ）は本考案の一実施形態に係るタオルにおけるパイル糸を示す側面図であり、（ｂ）は該タオルにおけるパイル糸を示す表面図である。
【図２】（ａ）は本考案の一実施形態に係るタオルにおける横軸である緯糸を示す図であり、（ｂ）は該タオルにおける縦軸である経糸を示す図である。
【図３】本考案の一実施形態に係るタオルの構成図である。
【考案を実施するための形態】
【００１３】
以下、図面を参照しつつ本考案の実施形態について説明する。
【００１４】
図１（ａ）は本考案の一実施形態に係るタオルの表裏面において綿素材のパイル糸がループ状に編成された様子を示す側面図であり、図１（ｂ）はパイル糸がループ状に編成された様子を示す表面図である。
【００１５】
図１（ａ）に示されるように、一方の面のパイル糸１はループ状となっており、当該パイル糸１を横方向に連続的に構成（編成）することで、タオルの表面の一部を形成している。他方の面のパイル糸２もループ状となっており、当該パイル糸２を横方向に連続的に構成（編成）することで、タオルの裏面の一部を形成している。そして、図１（ｂ）に示されるように、各パイル糸１，２はループ状となっており、当該パイル糸１，２を縦横に連続的に構成することで、タオルのパイル面３を形成している。
【００１６】
図２は、本考案の一実施形態に係るタオルの横軸となる緯糸を示す図である。
【００１７】
図２に示されるように、横軸となる緯糸は、同じ太さ及び同じ長さの糸で構成されており、この例では、素材には一般的な綿を用いている。緯糸は、細い糸が複数により編成され、一定の太さを形成していてもよい。緯糸は、綿を用いることを基本とするが、その材料は、業務用タオルに用いる要件として、吸収性、耐久性、風合いの維持に支障がなければ、木綿、真綿、麻綿、羊毛綿、合繊綿等に限定するものではない。
【００１８】
次に、図３は、本考案の一実施形態に係るタオルの縦軸である経糸を示す図である。
【００１９】
図３に示されるように、縦軸となる経糸は、横軸となる緯糸と同様に、同じ太さ及び同じ長さの糸で構成されている。但し、横軸となる緯糸とは異なり、経糸は、ポリエステル系素材の糸が１００％となっている。
【００２０】
経糸にポリエステル系素材の糸を１００％用いることで、タオル本来の風合いや肌触りを十分に保ちながらも、乾燥時間の短縮や燃料の節約をすることができることが実験により明らかとなった。更には、このポリエステル系素材の糸の採用により、タオル自体の耐久性（耐洗濯性）も２０から２５％程度向上することが明らかとなり、乾燥時間も２０から２５％程度短縮することができることが明らかとなった。
【００２１】
なお、横軸となる緯糸と同様に、軸となる経糸は、細い糸が複数により編成され、一定の太さを形成していてもよい。
【００２２】
次に、図４は本考案の一実施形態に係るタオルの構成を示す図である。
【００２３】
図４に示されるように、タオル６では、そのパイル面３に対し、縦軸となる経糸５と横軸となる緯糸４とが互いに交差して格子状に編み込まれている。ここでは、縦軸を経糸、また横軸を緯糸としているが、縦軸を緯糸、また横軸を経糸としてもよい。
【００２４】
このように、タオル６では、パイル面３に対し、横軸となる緯糸４と縦軸となる経糸５とが、垂直に配置され格子状に編み込まれており、かつ、縦軸となる経糸５にはポリエステル系素材が１００％の糸が採用されている。このポリエステル系素材の採用により、高い使用頻度においても形状を損なうことなく、耐久性を維持することができる。また、パイル面３及び緯糸４は綿素材なのでタオル本来の風合いや肌触りを保ちながら、ポリエステル系素材の経糸５の効用により乾燥時間の短縮や燃料の節約を実現できる。
【００２５】
以上説明したように、本考案の一実施形態によれば、ループ状に編成されて表裏面を構成するパイル糸１と、表裏面を織り加工するための縦軸となる経糸４と、表裏面を織り加工するための横軸となる緯糸５とを備え、経糸５と緯糸４とが、垂直に配置されて格子状に編み込まれており、経糸５はポリエステル系素材が１００％の糸としたことを特徴とするタオルが提供される。従って、このポリエステル系素材の採用により、高い使用頻度においても形状を損なうことなく、耐久性を維持することができる。なお、タオルには、フェイスタオル、スポーツタオル、バスタオルなど、各種のタオルが含まれる。
【００２６】
また、本考案の一実施形態によれば、ループ状に編成されて表裏面を構成するパイル糸１と、表裏面を織り加工するための縦軸となる経糸４と、表裏面を織り加工するための横軸となる緯糸４とを備え、経糸５と緯糸４とが、垂直に配置されて格子状に編み込まれており、経糸５をポリエステル系素材が１００％の糸としたことを特徴とするタオル製品が提供される。タオル製品としては、バスマット、シーツ、便座カバー等がある。経糸５にポリエステル系素材の糸を採用することにより、高い使用頻度においても形状を損なうことなく耐久性を維持することができる。
【００２７】
さらに、本考案の一実施形態によれば、タオル地を用いた被服であって、前記タオル地は、ループ状に編成されて表裏面を構成するパイル糸１と、表裏面を織り加工するための縦軸となる経糸４と、表裏面を織り加工するための横軸となる緯糸５とを備え、経糸５と緯糸４とが、垂直に配置されて格子状に編み込まれており、経糸４をポリエステル系素材が１００％の糸としたことを特徴とするタオル地を用いた被服が提供される。このタオル地を用いた被服としては、バスローブ、ポロシャツ、Ｔシャツ等がある。
【００２８】
以上、本考案の一実施形態について説明したが、本考案はこれに限定されることなくその趣旨を逸脱しない範囲で種々の改良・変更が可能であることは勿論である。
【００２９】
例えば、上記実施形態では、タオル製品、及びタオル地を用いた被服についても説明したが、その全てがタオル地で構成されているもののほか、一部がタオル地の被服等にも本考案は適用可能であることは勿論である。
【符号の説明】
【００３０】
１  パイル糸
２  パイル糸
３  パイル面
４  緯糸
５  経糸
６  タオル
【図１】
0003199408.tif 000003
【図２】
0003199408.tif 000004
【図３】
0003199408.tif 000005